(57)【要約】【課題】内部にいる人間が感じる圧迫感を低減することの可能な磁気シールドルームを提供する。【解決手段】磁気シールドルーム１は、磁気シールドされた内部空間を形成する上部シールド体１１、側周部シールド体１２、及び下部シールド体１３を備える。上部シールド体１１に拡大レンズ５２が設けられる。拡大レンズ５２は、外部より投影した画像を、磁気シールドルーム１の１つの内側面に、当該内側面の面積の５０％以上の範囲であって磁気シールドルーム１内にいる人間の目線より上側の大部分を含む範囲に拡大して投影可能である。拡大レンズ５２は、自身が投影対象とする内側面と対向する非投影対象の内側面よりも自身が投影対象とする内側面に寄った位置に設けられる。【選択図】図５
2018207471.tif 000002
【特許請求の範囲】
【請求項１】
磁気シールドされた内部空間を形成する上部シールド体、側周部シールド体、及び下部シールド体を備える磁気シールドルームであって、
前記上部シールド体及び前記下部シールド体の少なくともいずれかに拡大レンズが設けられ、
前記拡大レンズは、外部より投影した画像を、前記磁気シールドルームの少なくとも１つの内側面、又は前記磁気シールドルーム内において上下方向若しくは斜め上下方向に延びるように設けられた透明ないし半透明のフィルム若しくはシートに、拡大して投影可能である、磁気シールドルーム。
【請求項２】
磁気シールドされた内部空間を形成する上部シールド体、側周部シールド体、及び下部シールド体を備える磁気シールドルームであって、
前記内部空間が、磁気シールド体である仕切り部材によって第１及び第２内部空間に分割され、
前記第２内部空間に投影装置が設けられ、
前記仕切り部材に拡大レンズが設けられ、
前記拡大レンズは、前記投影装置より投影した画像を、前記第１内部空間に臨む前記磁気シールドルームの少なくとも１つの内側面、又は前記第１内部空間において上下方向若しくは斜め上下方向に延びるように設けられた透明ないし半透明のフィルム若しくはシートに、拡大して投影可能である、磁気シールドルーム。
【請求項３】
前記拡大レンズは、自身が投影対象とする内側面と対向する非投影対象の内側面よりも自身が投影対象とする内側面に寄った位置に設けられる、請求項１又は２に記載の磁気シールドルーム。
【請求項４】
前記拡大レンズは、前記磁気シールドルームの複数の内側面の各々に対して１つずつ設けられる、請求項１乃至３のいずれか一項に記載の磁気シールドルーム。
【請求項５】
磁気シールドされた内部空間を形成する上部シールド体、側周部シールド体、及び下部シールド体を備える磁気シールドルームであって、
前記上部シールド体に拡大レンズが設けられ、
前記拡大レンズは、外部より投影した画像を、前記磁気シールドルームの内側面の全周に渡って拡大して投影可能である、磁気シールドルーム。
【請求項６】
前記拡大レンズにより、前記磁気シールドルームの外の画像を投影する、請求項１乃至５のいずれか一項に記載の磁気シールドルーム。
【請求項７】
前記拡大レンズは、右目用画像を投影する右目用拡大レンズと、左目用画像を投影する左目用拡大レンズと、を含む、請求項１から６のいずれか一項に記載の磁気シールドルーム。
【請求項８】
前記拡大レンズが投影対象とする内側面の少なくとも投影範囲は、画像を投影するのに適した壁紙もしくは素材で覆われている、請求項１乃至７のいずれか一項に記載の磁気シールドルーム。
【請求項９】
可搬型である請求項１乃至８のいずれか一項に記載の磁気シールドルーム。
【発明の詳細な説明】
【技術分野】
【０００１】
本発明は、各種磁気計測に用いられる磁気シールドルームに関する。
【背景技術】
【０００２】
下記特許文献１は、生体磁気計測を行うためのシールドルームの外部に設置したプロジェクタからシールドルーム内に、検査者が必要とする映像、被験者が見るための映像を投影することを開示する。これによると、検査者は、被験者の位置決めのために映出されている映像を利用することができ、何度もシールドルームの内外を往復するというような無駄な動作を行わなくて済み、また、被験者には、被験者の気を紛らわす映像を見せることができ、被験者の検査に対する恐怖感、緊張感を少なくすることができるとしている。
【０００３】
下記特許文献２は、磁気シールドルーム内にいる被験者に画像を提示し、被験者に視覚刺激を付与して誘発する脳磁波を計測する視覚脳磁波計測装置における磁気シールドルーム用光学装置に関し、磁気シールドルームの外部のプロジェクターによる画像を、磁気シールドルームの外部からレンズ系を用いて磁気シールドルーム内のスクリーンに投影することを開示する。
【先行技術文献】
【特許文献】
【０００４】
【特許文献１】特開２００３−１８０６４６号公報
【特許文献２】特開２００２−３４９４５号公報
【発明の概要】
【発明が解決しようとする課題】
【０００５】
従来の磁気シールドルームでは、内壁面の大きさからすると局所的といえる範囲に画像を投影するだけなので、磁気シールドルームの内部にいる人間にとっては閉鎖空間での圧迫感を感じる可能性がある。小型の磁気シールドルームであれば、そうした圧迫感は尚更強く感じられる可能性がある。
【０００６】
本発明はこうした状況を認識してなされたものであり、その目的は、内部にいる人間が感じる圧迫感を低減することの可能な磁気シールドルームを提供することにある。
【課題を解決するための手段】
【０００７】
本発明のある態様は、磁気シールドルームである。この磁気シールドルームは、
磁気シールドされた内部空間を形成する上部シールド体、側周部シールド体、及び下部シールド体を備える磁気シールドルームであって、
前記上部シールド体及び前記下部シールド体の少なくともいずれかに拡大レンズが設けられ、
前記拡大レンズは、外部より投影した画像を、前記磁気シールドルームの少なくとも１つの内側面、又は前記磁気シールドルーム内において上下方向若しくは斜め上下方向に延びるように設けられた透明ないし半透明のフィルム若しくはシートに、拡大して投影可能である。
【０００８】
本発明のもう１つの態様は、磁気シールドルームである。この磁気シールドルームは、
磁気シールドされた内部空間を形成する上部シールド体、側周部シールド体、及び下部シールド体を備える磁気シールドルームであって、
前記内部空間が、磁気シールド体である仕切り部材によって第１及び第２内部空間に分割され、
前記第２内部空間に投影装置が設けられ、
前記仕切り部材に拡大レンズが設けられ、
前記拡大レンズは、前記投影装置より投影した画像を、前記第１内部空間に臨む前記磁気シールドルームの少なくとも１つの内側面、又は前記第１内部空間において上下方向若しくは斜め上下方向に延びるように設けられた透明ないし半透明のフィルム若しくはシートに、拡大して投影可能である。
【０００９】
前記拡大レンズは、自身が投影対象とする内側面と対向する非投影対象の内側面よりも自身が投影対象とする内側面に寄った位置に設けられてもよい。
【００１０】
前記拡大レンズは、前記磁気シールドルームの複数の内側面の各々に対して１つずつ設けられてもよい。
【００１１】
本発明のもう１つの態様は、磁気シールドルームである。この磁気シールドルームは、
磁気シールドされた内部空間を形成する上部シールド体、側周部シールド体、及び下部シールド体を備える磁気シールドルームであって、
前記上部シールド体に拡大レンズが設けられ、
前記拡大レンズは、外部より投影した画像を、前記磁気シールドルームの内側面の全周に渡って拡大して投影可能である。
【００１２】
前記拡大レンズにより、前記磁気シールドルームの外の画像を投影してもよい。
【００１３】
前記拡大レンズは、右目用画像を投影する右目用拡大レンズと、左目用画像を投影する左目用拡大レンズと、を含んでもよい。
【００１４】
前記拡大レンズが投影対象とする内側面の少なくとも投影範囲は、画像を投影するのに適した壁紙もしくは素材で覆われてもよい。
【００１５】
前記磁気シールドルームは、可搬型であってもよい。
【００１６】
なお、以上の構成要素の任意の組合せ、本発明の表現を方法やシステムなどの間で変換したものもまた、本発明の態様として有効である。
【発明の効果】
【００１７】
本発明によれば、内部にいる人間が感じる圧迫感を低減することの可能な磁気シールドルームを提供することができる。
【図面の簡単な説明】
【００１８】
【図１】本発明の実施の形態１に係る磁気シールドルーム１を正面左上方向から見た斜視図。
【図２】同じく正面右上方向から見た斜視図。
【図３】同じく背面左上方向から見た斜視図。
【図４】同じく背面右上方向から見た斜視図。
【図５】磁気シールドルーム１の概略断面図。
【図６】本発明の実施の形態２に係る磁気シールドルーム２の概略断面図。
【図７】本発明の実施の形態３に係る磁気シールドルーム３の概略断面図。
【図８】本発明の実施の形態４に係る磁気シールドルーム４の概略断面図。
【図９】本発明の実施の形態５に係る磁気シールドルーム５の概略断面図。
【図１０】本発明の実施の形態６に係る磁気シールドルーム６の概略断面図。
【発明を実施するための形態】
【００１９】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２０】
（実施の形態１）
図１〜図５を参照し、本発明の実施の形態１に係る磁気シールドルーム１を説明する。磁気シールドルーム１は、上部シールド体１１、側周部シールド体１２、下部シールド体１３、及び側面開口を開閉する扉２０を有する。扉２０は、一枚の扉でもよいが、本実施の形態では左扉２１と右扉２２とからなる観音開き扉であり、図示しないヒンジで側周部シールド体１２の左右の開口縁部に開閉自在に連結される。上部シールド体１１には、磁気シールドルーム１の外部に設置された投影装置（プロジェクタ）５１からの画像の投影光を磁気シールドルーム１内に通すための貫通穴５０が形成される。側周部シールド体１２及び下部シールド体１３にも、必要に応じて貫通穴５０が形成され、図示しない測定器具に接続する配線や、図示しない付帯設備の電源コード、ケーブルを通すために利用できる。また、貫通穴５０の少なくとも一部に図示しないパイプ状貫通導体を設け、上部シールド体１１、側周部シールド体１２、又は下部シールド体１３の導体板（例えば後述の磁性材料層及び高導電率材料層）と導通させてもよく、これにより貫通穴５０からの電磁波ノイズの漏洩を少なくできる。
【００２１】
下部シールド体１３の下側（下面）に、下部シールド体１３よりも高剛性で下部シールド体１３の底面と同寸法の台座７０が設けられ、台座７０上に下部シールド体１３が載置固定される。台座７０は、例えばステンレス鋼からなる。台座７０の底面に、床面上を移動させるための移動手段としてのキャスター７５が少なくとも３個以上取り付けられる。磁気シールドルーム１は、ここでは可搬型であり、キャスター７５を設けたことで移動の際に便利である。キャスター７５のうち少なくとも１つ、好ましくは２つ以上は、ストッパ付きであるとよい。上部シールド体１１、側周部シールド体１２、及び下部シールド体１３は、好ましくは台座７０と導通接続される（同電位となるように電気的に接続される）。なお、台座７０は高剛性で非導電性の非磁性材であってもよい。
【００２２】
上部シールド体１１、側周部シールド体１２、下部シールド体１３、及び扉２０は、磁場ノイズ及び電磁波ノイズを遮蔽できる磁気シールド体である。以下、上部シールド体１１、側周部シールド体１２、下部シールド体１３、及び扉２０を、それぞれ単に「シールド体」とも表記する。各シールド体は、少なくとも１つ磁性材料層を含むと共に、必要に応じて高導電率材料層を含む。好ましくは、各シールド体は、磁性材料層及び高導電率材料層からなる磁気シールド層を２つ有し、かつ当該２つの磁気シールド層の間に、木材層あるいは空気層等の非高導電率かつ非磁性の層を有する。磁性材料層は、例えば高透磁率磁性体かつ導体としてのパーマロイ板である。高導電率材料層は、例えば導体としてのアルミニウム板である。パーマロイ板は、磁場ノイズの遮蔽に有効である。アルミニウム板は、高周波の電磁波ノイズの遮蔽に有効である。なお、図５〜図８に示すの断面図では、各シールド体の積層構造の図示は省略している。
【００２３】
図５に示すように、上部シールド体１１の内面（磁気シールドルーム１の天井面）に、拡大レンズ５２が設けられる。拡大レンズ５２は、貫通穴５０の下部開口を覆う配置である。上部シールド体１１の外面（上面）には、貫通穴５０の上部開口の近傍となる位置に投影装置５１が設置される。拡大レンズ５２は、貫通穴５０を通って入射した投影装置５１からの画像を、磁気シールドルーム１の１つの内側面（側周部シールド体１２の内面の１つ又は扉２０の内面）に、当該内側面の面積の５０％以上の範囲であって磁気シールドルーム１内にいる人間の目線より上側の大部分を含む範囲に拡大して投影可能である。このような範囲としたのは、磁気シールドルーム１の内部にいる人間が、当該内側面の大部分に画像が投影されていると感じるようにするためである。拡大レンズ５２は、画像を好ましくは当該内側面に全面的に投影可能である。拡大レンズ５２は、単一のレンズに限定されず、複数のレンズの組合せであってもよい。
【００２４】
拡大レンズ５２は、自身が投影対象とする内側面と対向する非投影対象の内側面よりも自身が投影対象とする内側面に寄った位置に設けられる。拡大レンズ５２は、好ましくは投影対象とする内側面の幅方向において前記内側面の中央付近となる位置に設けられる。拡大レンズ５２により前記内側面に投影する画像は、好ましくは磁気シールドルーム１の外の画像（投影対象となる内側面を有する壁が存在しなければ見えていた景色の画像）であり、他にも自然の景色など人間がリラックスできる画像であってもよい。画像は、好ましくは動画像であるが、静止画像であってもよい。投影対象となる内側面の少なくとも投影範囲は、好ましくは画像を投影するのに適した壁紙もしくは素材で覆われる。覆うことは、コーティングすることを含む。
【００２５】
本実施の形態によれば、下記の効果を奏することができる。
【００２６】
(1) 投影装置５１からの画像を、拡大レンズ５２により磁気シールドルーム１の内側面の１つに、当該内側面の面積の５０％以上の範囲であって磁気シールドルーム１内にいる人間の目線より上側の大部分を含む範囲に拡大して投影するため、磁気シールドルーム１の内部にいる人間が感じる圧迫感あるいは不安感を低減することができる。
【００２７】
(2) 拡大レンズ５２は、自身が投影対象とする内側面と対向する非投影対象の内側面よりも自身が投影対象とする内側面に寄った位置に設けられるため、磁気シールドルーム１の内部にいる人間の影が投影画像に入ることを抑制でき、広範囲への画像投影が可能となり、磁気シールドルーム１の内部にいる人間が感じる圧迫感あるいは不安感を効果的に低減できる。
【００２８】
(3) 投影する画像を磁気シールドルーム１の外の動画像、特にリアルタイムの動画像とすることで、磁気シールドルーム１の内部にいる人間が感じる閉塞感が効果的に低減され、圧迫感あるいは不安感を顕著に低減できる。
【００２９】
(4) 投影装置５１を上部シールド体１１の上面に対して設置することになるため、側周部シールド体１２に対して設置する場合と比較して、側周部シールド体１２から側方に出っ張る支持台が不要なため、磁気シールドルーム１の幅と奥行きをコンパクトにできる。
【００３０】
(5) 上部シールド体１１、側周部シールド体１２、及び下部シールド体１３、を含む磁気シールドルーム１の本体部を、高剛性の台座７０の上に載置、固定することで、前記本体部の底面の重量が分散、安定し、可動時の磁気シールドルーム１の歪みを少なくできる。
【００３１】
(6) 台座７０が導体である場合、上部シールド体１１、側周部シールド体１２、及び下部シールド体１３（つまり磁気シールドルーム１の本体部）と台座７０とを電気接続することで、磁気シールドルーム１を設置した際のアースが取りやすくなる。つまり、台座７０を外部のアース接続端子に接続すればよい。
【００３２】
（実施の形態２）
図６は、本発明の実施の形態２に係る磁気シールドルーム２の概略断面図である。磁気シールドルーム２は、上部シールド体１１、側周部シールド体１２、下部シールド体１３、及び扉２０によって形成される内部空間を第１内部空間Ｓ１及び第２内部空間Ｓ２に分割する仕切り部材１５を備える。仕切り部材１５は、上部シールド体１１と略平行であって前記内部空間を上下に分割する。仕切り部材１５は、上部シールド体１１等と同様の磁気シールド体である。仕切り部材１５の下側の空間が第１内部空間Ｓ１であり、上側の空間が第２内部空間Ｓ２である。
【００３３】
投影装置５１は、第２内部空間Ｓ２に設けられ、仕切り部材１５に形成された貫通穴５０の上部開口の近傍に位置する。拡大レンズ５２は、仕切り部材１５の下面に、貫通穴５０の下部開口を覆うように設けられる。拡大レンズ５２は、第１内部空間Ｓ１に臨む磁気シールドルーム２の１つの内側面に、当該内側面の面積の５０％以上の範囲であって磁気シールドルーム２内にいる人間の目線より上側の大部分を含む範囲に拡大して投影可能である。本実施の形態のその他の点は、実施の形態１と同様である。本実施の形態も、実施の形態１と同様の効果を奏することができる。また、本実施の形態によれば、投影装置５１を磁気シールドルーム２内に設置でき、便利である。
【００３４】
（実施の形態３）
図７は、本発明の実施の形態３に係る磁気シールドルーム３の概略断面図である。本実施の形態では、拡大レンズ５２は、全方位（水平画角360度）の投影が可能なレンズであり、上部シールド体１１の下面中心付近に設けられ、投影装置５１からの画像を磁気シールドルーム３の内側面の全周（一周）に渡って拡大して投影可能である。投影範囲は、磁気シールドルーム３の全内側面の面積の５０％以上の範囲であって磁気シールドルーム３内にいる人間の目線より上側の大部分を含む範囲とすることが望ましい。本実施の形態のその他の点は、実施の形態１と同様である。本実施の形態も、実施の形態１と同様の効果を奏することができる。また、本実施の形態によれば、画像の投影光を通す貫通穴５０が１つであっても磁気シールドルーム３の内側面に全周に渡って画像を投影できるため、磁気シールド性能の悪化を抑制できる。
【００３５】
（実施の形態４）
図８は、本発明の実施の形態４に係る磁気シールドルーム４の概略断面図である。磁気シールドルーム４では、下部シールド体１３及び台座７０を貫通する貫通穴５０により画像の投影光を磁気シールドルーム４内に入射させる。投影装置５１は、磁気シールドルーム４を配置する床面上に設置されて、台座７０と床面との間の空間、すなわちキャスター７５（脚部）によって台座７０が床面に対して浮いていることにより生じる空間に位置する。投影装置５１は、下部シールド体１３及び台座７０を貫通する貫通穴５０の下部開口の近傍に設けられる。拡大レンズ５２は、下部シールド体１３の上面（磁気シールドルーム４の内底面）に、貫通穴５０の上部開口を覆うように設けられる。本実施の形態のその他の点は、実施の形態１と同様である。本実施の形態も、実施の形態１と同様の効果を奏することができる。また、本実施の形態によれば、投影装置５１を床面上に配置できるため、投影装置５１が磁気シールドルーム４から上方に出っ張らず、磁気シールドルーム４をコンパクトに設置できる。
【００３６】
（実施の形態５）
図９は、本発明の実施の形態５に係る磁気シールドルーム５の概略断面図である。磁気シールドルーム５は、側周部シールド体１２の一つの内面と上部シールド体１１の内面とを渡すように配設されて磁気シールドルーム５内において斜め上下方向に延びるリアプロジェクションフィルム１４を備える。リアプロジェクションフィルム１４は、上下方向に延びるように配設されてもよい。リアプロジェクションフィルム１４は、透明ないし半透明のフィルム（若しくはシート）であって、必要に応じてアクリル板やガラス板等の透明な非磁性板に貼り付けられる。リアプロジェクションフィルム１４の幅は、好ましくは側周部シールド体１２の前記一つの内面の幅と同等である。拡大レンズ５２は、前記一つの内面との対向面よりも前記一つの内面に寄った位置に設けられる。拡大レンズ５２は、投影装置５１からの画像を、リアプロジェクションフィルム１４の後方（磁気シールドルーム５内の人の反対側）からリアプロジェクションフィルム１４の大部分に拡大して投影する。本実施の形態のその他の点は、実施の形態１と同様である。本実施の形態も、実施の形態１と同様に、磁気シールドルーム５の内部にいる人間が感じる圧迫感あるいは不安感を低減することができる。
【００３７】
（実施の形態６）
図１０は、本発明の実施の形態６に係る磁気シールドルーム６の概略断面図である。磁気シールドルーム６は、実施の形態１の構成を基本とし、立体画像（立体映像）を投影可能としたものである。以下、具体的に説明する。
【００３８】
上部シールド体１１には、貫通穴５０Ｒ,５０Ｌが設けられる。貫通穴５０Ｒの上部開口の近傍となる位置に、右目用投影装置５１Ｒが設置される。右目用投影装置５１Ｒは、右目用の画像を投影する。右目用拡大レンズ５２Ｒは、貫通穴５０Ｒの下部開口を覆う配置であり、貫通穴５０Ｒを通って入射した右目用投影装置５１Ｒからの画像（右目用画像）を、磁気シールドルーム１の１つの内側面に拡大して投影可能である。
【００３９】
左目用の画像についても同様であり、貫通穴５０Ｌの上部開口の近傍となる位置に、左目用投影装置５１Ｌが設置される。左目用投影装置５１Ｌは、左目用の画像を投影する。左目用拡大レンズ５２Ｌは、貫通穴５０Ｌの下部開口を覆う配置であり、貫通穴５０Ｌを通って入射した左目用投影装置５１Ｌからの画像（左目用画像）を、磁気シールドルーム１の１つの内側面（右目用拡大レンズ５２Ｒによる投影先と同じ内側面）に拡大して投影可能である。
【００４０】
右目用投影装置５１Ｒと左目用投影装置５１Ｌは、図示の例では投影対象の内側面に垂直な方向に並べて設置（縦並び設置）したが、前記内側面に平行な方向に並べて設置（横並び設置）してもよい。右目用拡大レンズ５２Ｒ及び左目用拡大レンズ５２Ｌは、拡大の他に、互いに異なる方向に偏光するものであり、右目用及び左目用にそれぞれ偏光した画像（右目用画像及び左目用画像）を重ねるように前記内側面に投影する。
【００４１】
磁気シールドルーム６の内部にいる人間は、いわゆる３Ｄメガネ（左右で偏光方向が異なるメガネ）をかけることで、右目では右目用画像を見て、左目では左目用画像を見ることになり、両目で立体画像（立体映像）を見ることができる。なお、立体画像を見せる方式は、偏光方式（パッシブ方式）に限定されず、右目用投影装置５１Ｒ及び左目用投影装置５１Ｌにより右目用画像と左目用画像を高速で交互に投影し、３Ｄメガネ側では左右のレンズが画像と同期して高速で開閉することにより右目と左目に異なる画像を見せる方法（アクティブシャッター方式（フレームシーケンシャル方式））であってもよい。この場合、右目用拡大レンズ５２Ｒ及び左目用拡大レンズ５２Ｌは偏光しないものでよく、また３Ｄメガネも偏光しないものでよい。
【００４２】
本実施の形態のその他の点は、実施の形態１と同様である。本実施の形態によれば、狭い閉塞空間で奥行きを感じさせられるため、磁気シールドルーム６の内部にいる人間が感じる圧迫感あるいは不安感を一層低減することができる。なお、実施の形態２〜５において実施の形態１に対して行った変形は、本実施の形態にも適用可能である。
【００４３】
（他の実施の形態）
実施の形態１、２、４において、拡大レンズ５２は、磁気シールドルームの２つ以上の内側面の各々に対して１つずつ設けられてもよい。この場合、拡大レンズ５２と同数の投影装置５１を用いれば、投影範囲が２倍以上に拡張され、圧迫感あるいは不安感を低減する効果が高められる。特に、拡大レンズ５２を磁気シールドルームの４つの（全ての）内側面の各々に対して１つずつ（合計４つ）設ければ、磁気シールドルームの内側面に全周に渡って画像を投影でき、内部にいる人間は四方どちらを向いても画像を見ることができ、圧迫感あるいは不安感を低減する効果が顕著である。実施の形態６においても同様のことがいえる。
【００４４】
以上、実施の形態を例に本発明を説明したが、実施の形態の各構成要素や各処理プロセスには請求項に記載の範囲で種々の変形が可能であることは当業者に理解されるところである。以下、変形例について触れる。
【００４５】
本発明の磁気シールドルームの外観は、直方体形状に限定されず、円筒形状等の他の形状であってもよい。扉２０は、回転式に限定されず、スライド式であってもよく、内部空間の開口を開閉可能な構造であればよい。
【符号の説明】
【００４６】
１〜６  磁気シールドルーム、１１  上部シールド体、１２  側周部シールド体、１３  下部シールド体、１４  リアプロジェクションフィルム、５０,５０Ｒ,５０Ｌ  貫通穴、５１  投影装置、５１Ｒ 右目用投影装置、５１Ｌ  左目用投影装置、５２  拡大レンズ、５２Ｒ  右目用拡大レンズ、５２Ｌ  左目用拡大レンズ、７０  台座、７５  キャスター（脚部）
【図１】
2018207471.tif 000003
【図２】
2018207471.tif 000004
【図３】
2018207471.tif 000005
【図４】
2018207471.tif 000006
【図５】
2018207471.tif 000007
【図６】
2018207471.tif 000008
【図７】
2018207471.tif 000009
【図８】
2018207471.tif 000010
【図９】
2018207471.tif 000011
【図１０】
2018207471.tif 000012